(57)【特許請求の範囲】
【請求項１】
引戸の側端に上下方向に延びた保持片を形成し、該保持片に戸当りクッションの一側面に形成した係合溝を側方への抜止め状態で嵌合するとともに、前記引戸の下部コーナー部に固着した取付金具の取付板に合成樹脂製のコーナー部材を嵌着して該コーナー部材を引戸から下方へ突出するように取付け且つコーナー部材に前記保持片よりも側方へ突出するように設けた受部にて前記戸当りクッションの下端を支持してなることを特徴とする引戸の戸当りクッション支持構造。
【請求項２】
前記コーナー部材は、本体部に一側方へ開放した断面が横長の長方形状の嵌合孔を形成し、本体部の他側に前記受部が下面を面一となして延設し、更に前記嵌合孔の内部に抜止め用の三角ダボを突設したものであり、前記引戸の下方端部に固着した取付金具には、前記コーナー部材の嵌合孔に嵌入する取付板を引戸の閉止側に向けて延設し、該取付板の先端部に前記三角ダボを抜止め係合する係合穴を形成してあり、前記取付板の先端部に前記コーナー部材の嵌合孔を嵌入して、三角ダボを係合穴に係合させて装着し、前記コーナー部材の受部及び本体部を引戸の下端より下方に突出してなる請求項１記載の引戸の戸当りクッション支持構造。
【請求項３】
前記戸当りクッションは、基体に軟質の中空クッション部を形成するとともに、該基体の両側には前記係合溝を形成したものであり、前記コーナー部材の受部の先端部に上方へ立ち上がった突片を形成し、該突片を前記戸当りクッションの基体の外側に位置させてなる請求項２記載の引戸の戸当りクッション支持構造。
【請求項４】
前記引戸は、側方へ開放した断面略コ字形の両縦枠の上下端間に、上下方向へ開放した断面略コ字形の上下横枠を固着して形成した枠体の表裏に表面板を固定し、両表面板の周縁を内向きに折曲して前記縦枠及び横枠を抱き込んで形成し、前記表面板の閉止側の折曲片は戸当りクッションを取付けるための前記保持片としてなる請求項１〜３何れかに記載の引戸の戸当りクッション支持構造。
【発明の詳細な説明】
【０００１】
【発明の属する技術分野】
本発明は、引戸の戸当りクッション支持構造に係わり、更に詳しくは開放した後に自重で自動的に閉止する構造の引戸の閉止側側端に嵌着した戸当りクッションを抜止め支持するとともに、引戸が床面付近の物に衝突した場合のプロテクターを兼ねた引戸の戸当りクッション支持構造に関する。
【０００２】
【従来の技術】
従来、引戸の側端に上下方向に延びた保持片を形成し、該保持片に戸当りクッションの一側面に形成した係合溝を側方への抜止め状態で嵌合し、該戸当りクッションの下端を引戸の側端から突出することなく設けた支持片で支持している構造が一般的である。
【０００３】
しかし、通常、戸当りクッションは軟質合成樹脂又は軟質合成ゴムで製造されているため、また前述の支持片で載支する面積が狭いため、充分な支持が得られず、戸当りクッションに強い下動力が作用した場合には、支持片から外れることもあった。
【０００４】
一方、開放した後に自重によって自動的に閉止する構造の自動閉止引戸は、上部の転子が閉止側へ下がった傾斜レールに沿って転動する中吊り構造、あるいは上部が同様に傾斜したサスペンションレールによって支持された中吊り構造となっている。即ち、引戸を開く場合には重力に逆らって傾斜レール若しくは傾斜したサスペンションレールに案内されて若干上昇し、引戸から手を離すと、引戸の自重によって閉じるようになっている。従って、必然的に引戸の下端と床面との間には隙間が生じることになる。また、引戸から手を離すと戸当りクッションが何らかの物体に衝突するまで引戸は静止しないので、戸当りクッションは通常より大型のものが使用されている。そこで、床面に物が落ちていた場合には、引戸の閉止側下端が物に衝突することになるが、物と引戸の保持片との間に軟質の戸当りクッションが挟まれて損傷したり、保持片を含む引戸そのものが損傷する場合もある。
【０００５】
【発明が解決しようとする課題】
本発明が前述の状況に鑑み、解決しようとするところは、開放した後に自重で自動的に閉止する構造の引戸の閉止側側端に嵌着した戸当りクッションを抜止め支持するとともに、引戸が床面付近の物に衝突した場合のプロテクターを兼ねた引戸の戸当りクッション支持構造を提供する点にある。
【０００６】
【課題を解決するための手段】
本発明は、前述の課題解決のために、引戸の側端に上下方向に延びた保持片を形成し、該保持片に戸当りクッションの一側面に形成した係合溝を側方への抜止め状態で嵌合するとともに、前記引戸の下部コーナー部に固着した取付金具の取付板に合成樹脂製のコーナー部材を嵌着して該コーナー部材を引戸から下方へ突出するように取付け且つコーナー部材に前記保持片よりも側方へ突出するように設けた受部にて前記戸当りクッションの下端を支持してなる引戸の戸当りクッション支持構造を構成した。
ここで、前記コーナー部材は、本体部に一側方へ開放した断面が横長の長方形状の嵌合孔を形成し、本体部の他側に前記受部が下面を面一となして延設し、更に前記嵌合孔の内部に抜止め用の三角ダボを突設したものであり、前記引戸の下方端部に固着した取付金具には、前記コーナー部材の嵌合孔に嵌入する取付板を引戸の閉止側に向けて延設し、該取付板の先端部に前記三角ダボを抜止め係合する係合穴を形成してあり、前記取付板の先端部に前記コーナー部材の嵌合孔を嵌入して、三角ダボを係合穴に係合させて装着し、前記コーナー部材の受部及び本体部を引戸の下端より下方に突出してなることが好ましい。
更に、前記戸当りクッションは、基体に軟質の中空クッション部を形成するとともに、該基体の両側には前記係合溝を形成したものであり、前記コーナー部材の受部の先端部に上方へ立ち上がった突片を形成し、該突片を前記戸当りクッションの基体の外側に位置させてなることがより好ましい。
また、前記引戸は、側方へ開放した断面略コ字形の両縦枠の上下端間に、上下方向へ開放した断面略コ字形の上下横枠を固着して形成した枠体の表裏に表面板を固定し、両表面板の周縁を内向きに折曲して前記縦枠及び横枠を抱き込んで形成し、前記表面板の閉止側の折曲片は戸当りクッションを取付けるための前記保持片としてなるものである。
【０００７】
【発明の実施の形態】
次に本発明の実施形態を添付図面に基づき更に詳細に説明する。図１は本発明の代表的な適用例を示す自動閉止型の引戸を示し、図２〜図６は本発明の第１実施形態を示している。
【０００８】
自動閉止型の引戸１は、通路の上部パネル２内に設けた閉止側下がりの傾斜レール３に、上方へ延設した転動支持部４によって中吊り状態に支持し、閉止端側の支柱５等の側面に戸当りクッション６が当接した状態で閉止し、また開放する場合には傾斜レール３に沿って上昇しながら通路の側部に設けた戸袋パネル７内に収容されるようになっている。図中Ｆは床面を示し、前記引戸１と床面Ｆとの間には隙間Ｄが存在している。
【０００９】
前記引戸１は、側方へ開放した断面略コ字形の両縦枠８，８の上下端間に、上下方向へ開放した断面略コ字形の上下横枠９，９を固着して形成した枠体の表裏に表面板１０，１０を固定し、両表面板１０，１０の周縁を内向きに折曲して前記縦枠８及び横枠９を抱き込んで形成している。前記表面板１０，１０の閉止側の折曲片は戸当りクッション６を取付けるための保持片１１，１１となり、下側の折曲片は戸当りクッション６の下端を載支する支持片１２，１２となっている。
【００１０】
前記戸当りクッション６は、合成樹脂又は合成ゴム製であり、やや硬質の基体１３に軟質のクッション部１４を一体押出し成形し、若しくは基体１３とクッション部１４を別々に押出し成形した後両者を接合したものであり、前記基体１３の両側には前記保持片１１，１１に係合する係合溝１５，１５を形成している。また、前記基体１３とクッション部１４との間は中空となっている。
【００１１】
そして、本発明では、閉止側の前記縦枠８と下方の横枠９とのコーナー部に、合成樹脂製のコーナー部材１６を前記横枠９から下方へ突出するように取付け、該コーナー部材１６に前記保持片１１よりも側方へ突出するように設けた受部１７にて前記戸当りクッション６の下端を支持するのである。
【００１２】
更に具体的には、図３に示すように、前記コーナー部材１６は、本体部１８に一側方へ開放した断面が横長の長方形状の嵌合孔１９を形成し、本体部１８の他側に前記受部１７が下面を面一となして延設し、更に前記嵌合孔１９の内部であって薄肉上面部に抜止め用の三角ダボ２０，２０を突設している。また、前記受部１７は本体部１８より前後側に突出させてあり、つまり受部１７の前後長さは、引戸１の厚みと略一致させている。
【００１３】
前記コーナー部材１６を引戸１の枠体に取付けるには、下方の前記横枠９の端部であって下方開放した凹溝２１内に固着した取付金具２２に嵌着するのである。この取付金具２２は、前記横枠９の凹溝２１内に嵌合する断面略コ字形の固定部２３と前記コーナー部材１６の嵌合孔１９に嵌入する取付板２４とからなり、前記固定部２３は、凹溝２１の長手方向と直交した基板２３Ａの前後両側に外向き、即ち引戸１の閉止側に向けて両側板２３Ｂ，２３Ｂを折曲形成し、該両側板２３Ｂ，２３Ｂを横枠９の凹溝２１内に固着している。そして、前記取付板２４は、固定部２３の基板２３Ａの下端から外向き、即ち引戸１の閉止側に向けて延設したもので、先端部は縦枠８の凹溝２５内に位置し、該凹溝２５内に位置する先端部に前記両三角ダボ２０，２０を同時に抜止め係合する横長の係合穴２４Ａを形成している。
【００１４】
そして、前記取付金具２２の取付板２４の先端部に、前記コーナー部材１６の嵌合孔１９を嵌入して、三角ダボ２０，２０を係合穴２４Ａに係合させて装着するのである。この取付状態では、前記コーナー部材１６の受部１７及び本体部１８は、縦枠８及び横枠９より下方に突出してプロテクターの作用をするとともに、受部１７は前記保持片１１よりも、また引戸１の側端よりも突出しており、この受部１７で前記戸当りクッション６の下端を広い面積で載支するのである。従って、両保持片１１，１１にそれぞれ係合溝１５，１５を嵌合した戸当りクッション６は上下に移動可能であるが、前記コーナー部材１６の受部１７によって確実且つ支持強度が高く下方への移動を規制することができる。また、前記受部１７は、前記保持片１１よりも閉止側へ突出してあり、仮に通路の床面Ｆに物が落ちていて戸当りクッション６の下部に衝突したとしても、戸当りクッション６のクッション部１４が圧縮変形した後、受部１７に物が当たるので、引戸１の本体の損傷を防止することができる。
【００１５】
また、前記取付金具２２の固定部２３には、引戸１を開放した時に当止するための合成ゴム製等のストッパー２６を、凹溝２１内にネジ止め固定している。尚、引戸１を開放した時に、前記ストッパー２６が当止する規制部材を前記戸袋パネル７の内部であって、前記凹溝２１内に臨んで設けている。
【００１６】
次に、図７〜図９に示した本発明の第２実施形態は、前記コーナー部材１６の受部１７の先端部に上方へ立ち上がった突片２７を形成し、該突片２７を前記戸当りクッション６の基体１３の外側に位置させて、前記受部１７とで更に確実に戸当りクッション６を支持する構造である。その他の構成は前記同様であるので、同一構成には同一符号を付してその説明は省略する。
【００１７】
【発明の効果】
以上にしてなる本発明の引戸の戸当りクッション支持構造装置によれば、引戸の側端に上下方向に延びた保持片を形成し、該保持片に戸当りクッションの一側面に形成した係合溝を側方への抜止め状態で嵌合するとともに、前記引戸の下部コーナー部に合成樹脂製のコーナー部材を引戸から下方へ突出するように取付け且つコーナー部材に前記保持片よりも側方へ突出するように設けた受部にて前記戸当りクッションの下端を支持してなるので、コーナー部材の受部によって戸当りクッションの下端を確実且つ支持強度が高く支持することができるばかりでなく、物が引戸の下部に衝突しても前記コーナー部材がプロテクターの作用をなして引戸及び物の損傷を防止することができるのである。特に、開放した後に自重で自動的に閉止する構造の引戸にあっては、戸当りクッションが大型であるので、コーナー部材によって下端を支持することは、更に効果的である。また、前記コーナー部材の受部の先端部に上方へ立ち上がった突片を形成し、該突片を前記戸当りクッションの基体の外側に位置させることにより、前記受部とで更に確実に戸当りクッションを支持することができる。
【図面の簡単な説明】
【図１】本発明を適用した引戸とその回りの全体簡略正面図である。
【図２】本発明の要部を示す分解斜視図である。
【図３】第１実施形態のコーナー部材を示し、(a) は全体斜視図、(b) は(a) のＸ１−Ｘ１線断面図、(c) は(a) のＸ２−Ｘ２線断面図である。
【図４】コーナー部材を引戸に装着した状態の要部縦断正面図である。
【図５】同じく要部横断平面図である。
【図６】同じく図５のＸ３−Ｘ３線断面図である。
【図７】第２実施形態のコーナー部材を示し、(a) は全体斜視図、(b) は(a) のＸ４−Ｘ４線断面図、(c) は(a) のＸ５−Ｘ５線断面図である。
【図８】コーナー部材を引戸に装着した状態の要部縦断正面図である。
【図９】同じく要部横断平面図である。
【符号の説明】
１  引戸                  ２  上部パネル
３  傾斜レール            ４  転動支持部
５  支柱                  ６  戸当りクッション
７  戸袋パネル            ８  縦枠
９  横枠                  １０  表面板
１１  保持片              １２  支持片
１３  基体                １４  クッション部
１５  係合溝              １６  コーナー部材
１７  受部                １８  本体部
１９  嵌合孔              ２０  三角ダボ
２１  凹溝                ２２  取付金具
２３  固定部              ２３Ａ  基板
２３Ｂ  側板              ２４  取付板
２４Ａ  係合穴            ２５  凹溝
２６  ストッパー          ２７  突片
【図１】
0003644171.tif 000002
【図２】
0003644171.tif 000003
【図３】
0003644171.tif 000004
【図４】
0003644171.tif 000005
【図５】
0003644171.tif 000006
【図６】
0003644171.tif 000007
【図７】
0003644171.tif 000008
【図８】
0003644171.tif 000009
【図９】
0003644171.tif 000010